(57)【要約】【課題】第１キャビネットと第２キャビネットとを結合するクリップ部材を通常時は外れにくく、分解時には外すことができるようにする。【解決手段】正面側キャビネット３の嵌合爪３ａと背面側キャビネット４の嵌合孔４ａとが嵌合した状態で、正面側キャビネット３の第１クリップ収容部３ｂに形成した第１突出部３ｃがクリップ部材１０の第１側部１０ｂ先端に当接し、背面側キャビネット４の第２クリップ収容部４ｂに形成した第２突出部４ｃが第２側部１０ｃ先端に当接することで、クリップ部材１０が抜け止めされていると共に、第１側部１０ｂ又は第２側部１０ｃを変形させることで、クリップ部材１０を取り外し可能とする。【選択図】図１
2015065586.tif 000002
【特許請求の範囲】
【請求項１】
第１キャビネットと第２キャビネットとが爪嵌合及び脱着可能なクリップ部材によって結合される電子機器であって、
上記クリップ部材は、底部と該底部から立設された第１側部及び第２側部とを有する弾性部材よりなり、
上記第１キャビネットは、上記第２キャビネットに嵌合する係止部と、上記クリップ部材の底部が当接すると共に、上記第１側部が当接する第１クリップ収容部とを有し、
上記第２キャビネットは、上記係止部が嵌合する被係止部と、上記第２側部が当接する第２クリップ収容部とを有し、
上記係止部と上記被係止部とが嵌合した状態で、
上記第１クリップ収容部に形成した第１突出部が上記第１側部先端に当接し、上記第２クリップ収容部に形成した第２突出部が上記第２側部先端に当接することで、上記クリップ部材が抜け止めされると共に、上記第１側部又は上記第２側部を変形させることで、該クリップ部材を取り外し可能となっている
ことを特徴とする電子機器。
【請求項２】
請求項１に記載の電子機器において、
上記クリップ部材の上記第１側部と上記第２側部との間に棒状部材が収容されている
ことを特徴とする電子機器。
【請求項３】
請求項１又は２に記載の電子機器において、
上記第１側部には、該第１側部を変形させて上記第１突出部との係合を解除する、つまみ部が形成されている
ことを特徴とする電子機器。
【請求項４】
請求項１から３までのいずれか１つに記載の電子機器において、
上記第１クリップ収容部及び第２クリップ収容部は、上記第１キャビネットと上記第２キャビネットとの間を防水する防水シールの防水領域よりも外側に配置されている
ことを特徴とする電子機器。
【請求項５】
請求項１から４までのいずれか１つに記載の電子機器において、
上記第１側部と上記底部との間には、スリットが設けられ、該スリットが上記第１クリップ収容部に形成した膨出部に嵌まり込むようになっている
ことを特徴とする電子機器。
【発明の詳細な説明】
【技術分野】
【０００１】
本発明は、第１キャビネットと第２キャビネットとがクリップ部材によって結合される電子機器に関するものである。
【背景技術】
【０００２】
従来より、例えば、特許文献１に示すように、爪嵌合により上筐体と下筐体とを互いに接合し、その内部空間に部品を収容する電子機器は知られている。このように爪嵌合を用いることで、ネジ締結に比べて専有する面積を小さくすることができる。
【先行技術文献】
【特許文献】
【０００３】
【特許文献１】特開２０００−６９１３９号公報
【発明の概要】
【発明が解決しようとする課題】
【０００４】
しかしながら、従来の爪嵌合による結合では、上筐体と下筐体とを互いに離れる方向に引っ張ると、少なくとも一方の筐体が変形して爪が外れるという問題がある。
【０００５】
一方で、爪が離れにくくなるように爪の掛かる量を増やすと、爪の挿入が困難となり、しかも修理で分解したいときに容易に外れないという問題がある。
【０００６】
本発明は、かかる点に鑑みてなされたものであり、その目的とするところは、クリップ部材を通常時は外れにくく、分解時には外すことのできるものにすることにある。
【課題を解決するための手段】
【０００７】
上記の目的を達成するために、この発明では、脱着可能なクリップ部材によってキャビネット同士の嵌合が外れないようにした。
【０００８】
具体的には、本発明では、第１キャビネットと第２キャビネットとが爪嵌合及び脱着可能なクリップ部材によって結合される電子機器を対象とし、
上記クリップ部材は、底部と該底部から立設された第１側部及び第２側部とを有する弾性部材よりなり、
上記第１キャビネットは、上記第２キャビネットに嵌合する係止部と、上記クリップ部材の底部が当接すると共に、上記第１側部が当接する第１クリップ収容部とを有し、
上記第２キャビネットは、上記係止部が嵌合する被係止部と、上記第２側部が当接する第２クリップ収容部とを有し、
上記係止部と上記被係止部とが嵌合した状態で、
上記第１クリップ収容部に形成した第１突出部が上記第１側部先端に当接し、上記第２クリップ収容部に形成した第２突出部が上記第２側部先端に当接することで、上記クリップ部材が抜け止めされると共に、上記第１側部又は上記第２側部を変形させることで、該クリップ部材を取り外し可能となっている。
【０００９】
すなわち、第１キャビネットの係止部と第２キャビネットの被係止部とが嵌合しただけでは、第１キャビネット又は第２キャビネットが撓んで外れたり、防水性が低下したりするが、弾性部材よりなるクリップ部材の第１側部及び第２側部をそれぞれ第１キャビネット及び第２キャビネットの収容部に当接させることにより、このクリップ部材が第１キャビネットと第２キャビネットとが開くのを防止する。一方で、クリップ部材自体を取り外せば、第１及び第２キャビネットを無理に変形させることなく、分解を行える。クリップ部材を用いれば、ネジ締結を行う必要がなくなり、ネジ締結に必要なスペースをなくすことができる。
【発明の効果】
【００１０】
以上説明したように、本発明によれば、係止部と被係止部とが嵌合した状態で、第１クリップ収容部に形成した第１突出部をクリップ部材の第１側部先端に当接させ、第２クリップ収容部に形成した第２突出部を第２側部先端に当接させることで、クリップ部材を通常時は外れにくくする一方、分解時には取り外し容易なものにすることができる。
【図面の簡単な説明】
【００１１】
【図１】図２（ａ）のＩ−Ｉ線拡大断面図である。
【図２】本発明の実施形態に係る携帯電話機を示し、（ａ）が正面から見た斜視図で、（ｂ）が背面から見た斜視図である。
【図３】携帯電話機を示す分解斜視図である。
【図４】リアカバーを外した携帯電話機及びその一部を拡大して示す斜視図である。
【図５】クリップ部材を示し、（ａ）が左右内側から見た斜視図で、（ｂ）が左右外側から見た斜視図である。
【図６】図３のVI部分を別の方向から見た斜視図である。
【図７】図３のVII部分を別の方向から見た斜視図である。
【図８】本発明の実施形態の変形例１に係る図１相当図である。
【図９】本発明の実施形態の変形例２に係る図１相当図である。
【発明を実施するための形態】
【００１２】
以下、本発明の実施形態を図面に基づいて説明する。
【００１３】
図１〜図３は本発明の実施形態の電子機器としての携帯電話機１を示し、この携帯電話機１は、例えばスマートフォンよりなる。携帯電話機１は、例えばタッチパネルを含む表示部２が収容される第１キャビネットとしての正面側キャビネット３を備え、この背面に第２キャビネットとしての背面側キャビネット４が結合されている。その背面をリアカバー５が覆っている。正面側キャビネット３と背面側キャビネット４との間の上側には、回路基板６が収容され、その下側には充電池７が収容されている。
【００１４】
正面側キャビネット３と背面側キャビネット４とは、図１及び図４に示すように、脱着可能なクリップ部材１０によって結合されている。充電池７の左右両側以外の比較的スペースに余裕がある部分は、ビス９で締結されている。このビス９による締結で正面側キャビネット３と背面側キャビネット４との間での最小限の結合強度が確保されている。
【００１５】
このクリップ部材１０は、図５に拡大して示すように、底部１０ａとこの底部１０ａから立設された第１及び第２側部１０ｂ，１０ｃとを有する弾性部材よりなる。本実施形態では、クリップ部材１０は、例えば適度な剛性及び弾性を有する金属部材とし、特に第１及び第２側部１０ｂ，１０ｃは、座屈しにくいが、底部１０ａに対して開閉しやすい構造になっている。第１側部１０ｂの根元にはＵ字状のスリット１０ｄが形成されている。さらに、第１側部１０ｂには、この第１側部１０ｂを第２側部１０ｃ側へ変形させるためのつまみ部１０ｅが形成されている。
【００１６】
図１及び図６に拡大して示すように、正面側キャビネット３の左右周縁の複数箇所には、左右外側に突出し、背面側キャビネット４に嵌合する係止部としての嵌合爪３ａと、クリップ部材１０の底部１０ａが当接すると共に、第１側部１０ｂが嵌まり込むように凹陥された第１クリップ収容部３ｂとを有する。第１クリップ収容部３ｂの左右外側側壁には第１突出部３ｃが形成され、この第１突出部３ｃの正面側の平坦面に第１側部１０ｂの先端が当接するようになっている。第１クリップ収容部３ｂの左右外側の隅角部には、クリップ部材１０のスリット１０ｄに嵌まり込む膨出部３ｄが形成されている。
【００１７】
一方、図１及び図７に示すように、背面側キャビネット４における、複数の嵌合爪３ａに対応する側壁には、嵌合爪３ａが嵌合する被係止部としての嵌合孔４ａがそれぞれ形成されている。これら複数の嵌合孔４ａに嵌合爪３ａが嵌まり込むことで、正面側キャビネット３と背面側キャビネット４とが仮止め可能となっている。背面側キャビネット４における嵌合孔４ａの正面側には、第２側部１０ｃが嵌まり込む第２クリップ収容部４ｂが形成されている。第２クリップ収容部４ｂの背面側が第２突出部４ｃとなり、この第２突出部４ｃに第２側部１０ｃの先端が当接するようになっている。
【００１８】
そして、図１に示すように、嵌合爪３ａと嵌合孔４ａとが嵌合した状態で、第１クリップ収容部３ｂに形成した第１突出部３ｃが第１側部１０ｂ先端に当接し、第２クリップ収容部４ｂに形成した第２突出部４ｃが第２側部１０ｃ先端に当接することで、クリップ部材１０が抜け止めされるようになっている。
【００１９】
そして、このクリップ部材１０が嵌合した状態で、第１側部１０ｂと第２側部１０ｃとの間に棒状部材としてのアンテナ部材８が収容されている。このように、クリップ部材１０における第１側部１０ｂと第２側部１０ｃとの間にスペースを利用して棒状部材を収容できるので、充電池７をできるだけ大きくしながらも、携帯電話機１の小型化を図ることができる。
【００２０】
一方、図４に拡大して示すように、本実施形態では、つまみ部１０ｅを爪などでつまんで矢印の方向へ第１側部１０ｂを変形させることで、クリップ部材１０を取り外し可能となっている。クリップ部材１０は、第１クリップ収容部３ｂ及び第２クリップ収容部４ｂに確実に嵌合しているので、このようにつまみ部１０ｅをつまんでクリップ部材１０を変形させない限り、取り外せないようにしている。
【００２１】
このように、正面側キャビネット３の嵌合爪３ａと背面側キャビネット４の嵌合孔４ａとが嵌合しただけでは、正面側キャビネット３又は背面側キャビネット４が撓んで外れたり、防水性が低下したりするが、本実施形態では、弾性部材よりなるクリップ部材１０の第１及び第２側部１０ｂ，１０ｃをそれぞれ第１及び第２クリップ収容部３ｂ，４ｂに当接させることにより、このクリップ部材１０が正面側キャビネット３と背面側キャビネット４とが開くのを防止する。
【００２２】
そして、第１及び第２クリップ収容部３ｂ，４ｂは、正面側キャビネット３と背面側キャビネット４との間を防水する防水シール１１（図１に示す）の防水領域よりも外側に配置されている。本実施形態では、クリップ部材１０が確実に正面側キャビネット３と背面側キャビネット４との係合を保持するので、防水シール１１の防水性能が確実に保たれる。
【００２３】
一方で、つまみ部１０ｅをつまんで引っ張ることにより、第１側部１０ｂを変形させてクリップ部材１０を外すことができるので、クリップ部材１０、正面側キャビネット３や背面側キャビネット４を破損させずに容易に分解することができる。
【００２４】
また、本実施形態のようにクリップ部材１０を用いれば、ネジ締結を行う必要がなくなり、ネジ締結に必要な雌ネジ加工がされたボスなどの設置スペースをなくすことができる。このため、クリップ部材１０の左右内側に配置される充電池７をできるだけ大きくしながらも、携帯電話機１の小型化を図ることができる。
【００２５】
第１側部１０ｂと底部１０ａとの間には、スリット１０ｄが設けられ、このスリット１０ｄが第１クリップ収容部３ｂに形成した膨出部３ｄに嵌まり込むようになっているので、簡単な構成でクリップ部材１０の位置決め及び抜け止めを行うことができる。
【００２６】
したがって、本実施形態にかかる携帯電話機１によると、クリップ部材１０を通常時は外れにくく、分解時には外すことができる。
【００２７】
−変形例１−
図８は本発明の実施形態の変形例１を示し、クリップ部材１０’の材質が異なる点で上記実施形態と異なる。なお、以下の各変形例では、図１〜図７と同じ部分については同じ符号を付してその詳細な説明は省略する。
【００２８】
すなわち、本変形例では、クリップ部材１０’は、弾性部材である樹脂成形品で構成されている。樹脂成形品は、上記実施形態の金属製のものに比べて剛性を確保するために厚さが厚くなっているが、軽量で複雑な形状も成形可能である点で有利である。
【００２９】
このクリップ部材１０’においてもつまみ部１０ｅ（図８では図示せず）をつまんでクリップ部材１０’を取り外すことができるようになっている。
【００３０】
−変形例２−
図９は本発明の実施形態の変形例２を示し、正面側キャビネット３”と背面側キャビネット４”との爪嵌合の構成が異なる点で上記実施形態と異なる。
【００３１】
すなわち、本変形例では、正面側キャビネット３”の左右内側側壁部に形成した係止部としての嵌合孔３ａ”に背面側キャビネット４”の側壁に左右内側へ突出するように成形した被係止部としての嵌合爪４ａ”が嵌まり込むようになっている。つまり、上記実施形態とは、嵌合爪と嵌合孔とが正面側キャビネット３”と背面側キャビネット４”とでそれぞれ逆に設けられている。
【００３２】
本実施形態では、防水シール１１の位置は、上記実施形態と異なるが、本変形例でも防水シール１１の防水領域外にクリップ部材１０が配置されている。
【００３３】
（その他の実施形態）
本発明は、上記実施形態について、以下のような構成としてもよい。
【００３４】
すなわち、上記実施形態では、クリップ部材１０，１０’及びアンテナ部材８は、背面側から見て左側に配置したが、右側など別の位置に配置してもよい。
【００３５】
上記実施形態では、第１キャビネットを正面側キャビネット３とし、第２キャビネットを背面側キャビネット４としたが、それぞれ逆としてもよい。
【００３６】
また、上記実施形態では、棒状部材は、アンテナ部材８としたが、棒状のものであれば特に限定されず、タッチペンなどでもよい。
【００３７】
つまみ部１０ｅは、第１側部１０ｂに設けたが、逆に第２側部１０ｃに設けてもよく、両方に設けてもよい。
【００３８】
上記実施形態では、電子機器は、携帯電話機１としたが、ＰＨＳ（Personal Handy-phone System ）、ＰＤＡ(Personal DigitalAssistant)、スマートフォン、パソコン、モバイルツール、電子辞書、電卓、ゲーム機等であってもよく、液晶ディスプレイ、液晶テレビ、ブルーレイ（ＤＶＤ）レコーダ等であってもよい。
【００３９】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００４０】
１      携帯電話機（電子機器）
２      表示部 
３，３”      正面側キャビネット（第１キャビネット）
３ａ    嵌合爪（係止部）
３ａ”  嵌合孔（係止部） 
３ｂ    第１クリップ収容部
３ｃ    第１突出部
３ｄ    膨出部
４，４”      背面側キャビネット（第２キャビネット）
４ａ    嵌合孔（被係止部）
４ａ”  嵌合爪（被係止部）
４ｂ    第２クリップ収容部
４ｃ    第２突出部
５      リアカバー
６      回路基板
７      充電池
８      アンテナ部材
１０，１０’      クリップ部材
１０ａ    底部
１０ｂ    第１側部
１０ｃ    第２側部
１０ｄ    スリット
１０ｅ    つまみ部
１１      防水シール 
【図１】
2015065586.tif 000003
【図２】
2015065586.tif 000004
【図３】
2015065586.tif 000005
【図４】
2015065586.tif 000006
【図５】
2015065586.tif 000007
【図６】
2015065586.tif 000008
【図７】
2015065586.tif 000009
【図８】
2015065586.tif 000010
【図９】
2015065586.tif 000011